(57)【特許請求の範囲】
【請求項１】
外部から入力されるプリセット値を外部から入力されるプリセット値ロード信号によりロードして計数を開始し、第１のカウント値を出力するカウンタ部と；
外部から入力される伝送データの伝送速度の値により、前記カウンタ部から出力される前記第１のカウント値の値が０になるタイミングから、前記伝送データの伝送速度に応じた第２のカウント値を生成出力する伝送速度切替部と；
外部から送信開始信号が入力されると前記伝送速度切替部が出力する前記第２のカウント値をもとに、送信データ取り出しアドレス及び送信データ出力タイミングを出力し、外部から送信待機信号が入力されると前記送信データ取り出しアドレス及び前記送信データ出力タイミングの出力を止める送信タイミング制御部と；
外部から入力される第１の送信データを内部に一旦蓄積し、前記送信データ取り出しアドレスに従い第２の送信データを出力する送信データ格納部と；
前記送信データ出力タイミングにより前記第２の送信データを時分割し、送信出力として出力する送信出力制御部と；
を備えたことを特徴とするデータ伝送速度切替装置。
【請求項２】
前記送信データ格納部の内部は、データの書き込み面である表面とデータの読み出し面である裏面の２面構成をとり、前記送信データ取り出しアドレスにより一定時間の単位毎に交互に前記表面と前記裏面が切り替わり、データの取り込みと取り出しが衝突しないように制御されることを特徴とする請求項１記載のデータ伝送速度切替装置。
【請求項３】
前記送信データ格納部の内部の前記表面と前記裏面を外部から意識すること無く、外部からの前記第１の送信データの書き込みに対して、前記送信データ格納部の書き込み面と読み出し面が前記表面から使用され、以降前記裏面、前記表面と交互に使用されるように使用面を管理することを特徴とする請求項１記載のデータ伝送速度切替装置。
【請求項４】
前記送信出力制御部は、前記送信データ出力タイミングに従い、前記第２の送信データを時分割し前記送信出力として出力することを特徴とする請求項１、２又は３記載のデータ伝送速度切替装置。
【請求項５】
前記送信タイミング制御部は、外部から前記送信開始信号が入力されると前記伝送速度切替部が出力する前記第２のカウント値をもとに、前記送信データ取り出しアドレス及び前記送信データ出力タイミングを出力し、前記送信待機信号が入力されると前記送信データ取り出しアドレス及び前記送信データ出力タイミングの出力を停止することを特徴とする請求項１、２、３又は４記載のデータ伝送速度切替装置。
【請求項６】
前記伝送速度切替部は、前記カウンタ部が出力する前記第１のカウント値の内、前記伝送データの伝送速度で指定された伝送速度に必要な前記第２のカウンタ値を取り出し、次のカウント値０のタイミングで新たに設定された伝送速度に応じた前記第２のカウント値に切り替わり、前記第２のカウント値をもとに前記送信タイミング制御部で生成される前記送信データ取り出しアドレスにより、カウンタ周期の単位で前記表面と前記裏面が切り替わる２面構成の前記送信データ格納部から前記第２の送信データを取り出すことを特徴とする請求項１、２、３、４又は５記載のデータ伝送速度切替装置。
【請求項７】
請求項１〜６のいずれか１項に記載のデータ伝送速度切替装置を時分割多重送信システムに用いたことを特徴とするデータ伝送システム。
【発明の詳細な説明】
【０００１】
【発明の属する技術分野】
本発明はデータ伝送速度切替装置に関し、特に時分割多重送信システムでの伝送速度切替時に、冗長なデータの出力や期待するデータの欠落がなく、伝送速度を可変できるデータ伝送速度切替装置に関する。
【０００２】
【従来の技術】
無線回線を使用したデータ通信の伝送速度は、固定速度のものや、伝送速度を切替えるもの、予め設定した時間をもとに内蔵したタイマーで自動切替えするものなどがある。
【０００３】
通常の運用では、電波の伝搬状態が良好なときは伝送速度を速く設定し、伝搬状態が悪いときは伝送速度を遅く設定することにより伝送誤りを低減している。この電波伝搬状態は、時間帯、天候状態により変化しており、悪化した場合に伝送速度が速いとデータ伝送誤りが発生し、受信側で多くのデータの欠落が発生することになる。
【０００４】
一般にこのような状態で、データ伝送速度切替装置は送信中に伝送速度を変える手段を持たず、伝送速度切替の場合には一度送信出力を停止し、所望の伝送速度に切替えた後に再び送信を開始することになる。
【０００５】
このような技術の一例として、特開平１０−１０７７１５号公報記載の「データ通信システム及び通信装置」が知られている。
【０００６】
この公報では、無線回線を使用したデータ通信における伝送速度の切替を、リアルタイムな受信データのビット誤り率の実測データをもとに自動的に切替える技術が記載されている。
【０００７】
また、特公平６−２６３４３号公報記載の「変復調装置のデータ伝送速度自動切替方式」が知られている。
【０００８】
この公報では、変復調装置に関して、データ伝送速度に対してＳ／Ｎ比、判定誤差電力及びトレーニング回数のスレーショルドを測定し、トレーニング回数の設定スレーショルドを超えてデータ伝送が確立しない場合はデータ伝送速度の切替を行い、データ伝送が確立している場合でもＳ／Ｎ比、判定誤差電力によりデータ伝送速度の切替えを瞬時に行うことで、データ伝送回線の劣化要因の変動等を自動的に最適かつ安定化する技術が記載されている。
【０００９】
【発明が解決しようとする課題】
上述した従来のデータ伝送速度切替装置は、回線悪化により伝送速度切替の場合一度送信を停止し、所望の伝送速度に切替えた後再度送信するので、運用上の利便性に欠けるという欠点を有している。
【００１０】
また、リアルタイムに受信データのビット誤り率、Ｓ／Ｎ比、判定誤差電力を測定することで伝送速度を切替えるため、装置が複雑になるという欠点を有している。
【００１１】
本発明の目的は、時分割多重で送信出力できる送信システムにおいて、伝送速度切替時に冗長なデータの出力や期待するデータの欠落がないように、送信の停止なく伝送速度を自動的に可変できるデータ伝送速度切替装置を提供することにある。
【００１２】
【課題を解決するための手段】
本発明のデータ伝送速度切替装置は、外部から入力されるプリセット値を外部から入力されるプリセット値ロード信号によりロードして計数を開始し、第１のカウント値を出力するカウンタ部と；
外部から入力される伝送データの伝送速度の値により、前記カウンタ部から出力される前記第１のカウント値の値が０になるタイミングから、前記伝送データの伝送速度に応じた第２のカウント値を生成出力する伝送速度切替部と；
外部から送信開始信号が入力されると前記伝送速度切替部が出力する前記第２のカウント値をもとに、送信データ取り出しアドレス及び送信データ出力タイミングを出力し、外部から送信待機信号が入力されると前記送信データ取り出しアドレス及び前記送信データ出力タイミングの出力を止める送信タイミング制御部と；
外部から入力される第１の送信データを内部に一旦蓄積し、前記送信データ取り出しアドレスに従い第２の送信データを出力する送信データ格納部と；
前記送信データ出力タイミングにより前記第２の送信データを時分割し、送信出力として出力する送信出力制御部と；
を備えたことを特徴としている。
【００１４】
前記送信データ格納部の内部は、データの書き込み面である表面とデータの読み出し面である裏面の２面構成をとり、前記送信データ取り出しアドレスにより一定時間の単位毎に交互に前記表面と前記裏面が切り替わり、データの取り込みと取り出しが衝突しないように制御されることを特徴としている。
【００１５】
前記送信データ格納部の内部の前記表面と前記裏面を外部から意識すること無く、外部からの前記第１の送信データの書き込みに対して、前記送信データ格納部の書き込み面と読み出し面が前記表面から使用され、以降前記裏面、前記表面と交互に使用されるように使用面を管理することを特徴としている。
【００１６】
前記送信出力制御部は、前記送信データ出力タイミングに従い、前記第２の送信データを時分割し前記送信出力として出力することを特徴としている。
【００１７】
前記送信タイミング制御部は、外部から前記送信開始信号が入力されると前記伝送速度切替部が出力する前記第２のカウント値をもとに、前記送信データ取り出しアドレス及び前記送信データ出力タイミングを出力し、前記送信待機信号が入力されると前記送信データ取り出しアドレス及び前記送信データ出力タイミングの出力を停止することを特徴としている。
【００１８】
前記伝送速度切替部は、前記カウンタ部が出力する前記第１のカウント値の内、前記伝送データの伝送速度で指定された伝送速度に必要な前記第２のカウンタ値を取り出し、次のカウント値０のタイミングで新たに設定された伝送速度に応じた前記第２のカウント値に切り替わり、前記第２のカウント値をもとに前記送信タイミング制御部で生成される前記送信データ取り出しアドレスにより、カウンタ周期の単位で前記表面と前記裏面が切り替わる２面構成の前記送信データ格納部から前記第２の送信データを取り出すことを特徴としている。
【００１９】
また、データ伝送速度切替装置を時分割多重送信システムに用いたことを特徴としている。
【００２０】
【発明の実施の形態】
次に、本発明の実施の形態について図面を参照して説明する。
【００２１】
図１は本発明のデータ伝送速度切替装置の一つの実施の形態を示すブロック図である。
【００２２】
図１に示す本実施の形態は、外部から入力されるプリセット値６を外部から入力されるプリセット値ロード信号７によりロードして計数を開始し、カウント値１１を出力するカウンタ部１と、外部から入力される伝送データ８の伝送速度の値により、カウンタ部１から出力されるカウント値１１の値が０になるタイミングから、伝送データ８の伝送速度に応じたカウント値１２を生成出力する伝送速度切替部２と、外部から送信開始信号９が入力されると伝送速度切替部２が出力するカウント値１２をもとに、送信データ取り出しアドレス１４と送信データ出力タイミング１５とを出力し、送信待機信号１０が入力されると送信データ取り出しアドレス１４と送信データ出力タイミング１５の出力を止める送信タイミング制御部３と、外部から入力される送信データ１３を内部に一旦蓄積し、送信データ取り出しアドレス１４に従い、送信データ１６を出力する送信データ格納部４と、送信データ出力タイミング１５により送信データ１６を時分割し、送信出力１７として出力する送信出力制御部５とから構成されている。
【００２３】
次に図１を参照すると、カウンタ部１は外部から入力されるプリセット値６を同じく外部から入力されるプリセット値ロード信号７の入力によりロードして計数を行い、カウント値１１を出力する。カウンタ部１はＮ進カウンタで、Ｎは正の整数で２Nの指数値を示す。
【００２４】
伝送速度切替部２は、外部から入力される伝送データ８の伝送速度の値によりカウンタ部１から入力されるカウント値１１の値が、（Ｎ−１）から０になるタイミングにより、伝送データ８の伝送速度に応じたカウント値１２を出力し始める。
【００２５】
送信タイミング制御部３は、外部から送信開始信号９が入力されると伝送速度切替部２が出力するカウント値１２をもとに、送信データ取り出しアドレス１４と送信データ出力タイミング１５とを出力し、送信待機信号１０が入力されると送信データ取り出しアドレス１４と送信データ出力タイミング１５の出力を停止する。
【００２６】
送信データ格納部４は、外部から入力される送信データ１３を内部に一旦蓄積し、送信データ取り出しアドレス１４に従い、送信データ１６を出力する。
【００２７】
送信データ格納部４の内部はデータの書き込み面である表面とデータの読み出し面である裏面の２面構成をとり、送信データ取り出しアドレス１４により一定時間の単位（例えばスロット）毎に交互に表面と裏面が切り替わり、データの取り込みと取り出しが衝突しないように制御される。
【００２８】
なお、外部から送信データ格納部４の表面と裏面を意識する必要は無く、外部からの送信データ１３の書き込みに対して、送信データ格納部４が書き込み面と読み出し面が表面から使用され、以降裏面、表面と交互に使用されるように使用面を管理することになる。送信出力制御部５は、送信データ出力タイミング１５に従い、送信データ１６を時分割し送信出力１７として出力する。
【００２９】
次に、伝送速度を２倍に上げる場合についての動作を説明する。
【００３０】
Ｎ進カウンタであるカウンタ部１の計数値と伝送速度の関係は、伝送速度βの場合０から（Ｎ−１）まで、伝送速度（β／２）の場合０から（Ｎ−１）／２まで、伝送速度（β／４）の場合０から（Ｎ−１）／４までの計数値が必要となる。
【００３１】
先ず、カウンタ部１に送信を開始するために必要な設定を行う。外部から他の回路も時分割で使用できるようにするためプリセット値６を入力する。続いて、プリセット値ロード信号７を入力する。さらに、送信データ１３を送信データ格納部４の書き込み面である表面に入力し、伝送データ８の伝送速度（β／４）を伝送速度切替部２に入力する。
【００３２】
以上の設定を行った後、送信開始信号９を入力する。カウンタ部１から出力されたカウント値１１が（Ｎ−１）から０に戻ったタイミングで、伝送速度切替部２で指定された伝送速度に応じたビットを上位から選択し、カウント値１２として送信タイミング制御部３に出力し始める。送信タイミング制御部３はこれをもとに、送信データ出力タイミング１５と送信データ取り出しアドレス１４とを出力する。
【００３３】
ただし、送信データ出力タイミング１５および送信データ取り出しアドレス１４の出力は、送信開始信号９が入力されてから送信待機信号１０が入力されるまでの間のみ出力される。送信データ格納部４では送信データ取り出しアドレス１４に従い、送信データ格納部４の表面に蓄積された送信データ１３を送信データ１６として出力する。送信出力制御部５では送信出力が許可され、送信データ１６を送信データ出力タイミング１５のタイミングで時分割し、送信出力１７として出力する。
【００３４】
ここで、伝送速度切替部２に伝送データ８の伝送速度（β／２）を入力する。さらに、送信データ格納部４の裏面に送信データ１３を入力する。その後、カウント値１２が０になったタイミングで伝送データ８の伝送速度（β／２）に応じた計数処理が行われるように、伝送速度切替部２はカウンタ部１から入力されるカウント値１１の内必要なビットを抜き出す。
【００３５】
以下、送信タイミング制御部３、送信データ格納部４および送信出力制御部５は、このタイミングに従って送信出力１７を出力する。
【００３６】
図２は図１のデータ伝送速度切替装置の動作を示すタイムチャートである。
【００３７】
ここで用いる信号は、図１に関して、送信データ格納部４への送信データ１３の格納と取り出しを示しており、タイミングは２倍の伝送速度に切り替える場合である。
【００３８】
次に、図１および図２を参照して本実施の形態の動作をより詳細に説明する。
【００３９】
先ず、送信データ格納部４には送信データ１３を入力し、伝送速度切替部２には伝送データ８の伝送速度（β／４）を入力する。その後、カウンタ部１に外部からプリセット値ロード信号７が入力され、そのとき入力されているプリセット値６としてＹ（Ｙ：０〜Ｚ−１の整数値）がロードされる。このとき伝送速度切替部２が出力するカウント値１２は、伝送データ８の伝送速度（β／４）で０から（Ｚ／４）までを繰り返し出力している。
【００４０】
ここまでで送信の準備は完了し、次に送信開始信号９が入力されると、その直後の伝送速度切替部２が出力するカウント値１２が“０”になったタイミングから、送信タイミング制御部３は送信データ格納部４に対して送信データ取り出しアドレス１４を出力し、送信データ１６を取り出す。
【００４１】
また、同時に送信タイミング制御部３は伝送データ８の伝送速度により異なる送信データ出力タイミング１５を出力する。送信出力制御部５は送信データ格納部４が出力する送信データ１６を、送信タイミング制御部３が出力する送信データ出力タイミング１５のタイミングで送信出力１７を出力する。
【００４２】
その後、伝送データ８の伝送速度を（β／２）の伝送速度に変えるために、伝送速度切替部２に対して伝送データ８の伝送速度（β／２）が入力される。伝送速度切替部２はその直後のカウント値１１が“０”になるタイミングからカウント値１２を伝送速度（β／２）に対応した倍の速さのカウントに切り替える。
【００４３】
これにより、送信タイミング制御部３が出力する送信データ取り出しアドレス１４および送信データ出力タイミング１５も倍の速さで出力され、伝送データ８の伝送速度（β／２）に応じた送信出力１７が出力される。
【００４４】
また、外部から送信待機信号１０が入力されると、送信タイミング制御部３は送信データ出力タイミング１５および送信データ取り出しアドレス１４の出力を停止して、送信出力制御部５からの送信出力１７も停止する。
【００４５】
これにより、図２に示すように伝送速度（β／４）で制御されていた送信出力１７は次のカウンタ値０のタイミングから間断無く、自動的に新たに入力された伝送速度（β／２）で送信出力１７を出力することになる。
【００４６】
上述の通り、伝送速度切替部２で、カウンタ部１が出力するカウント値１１の内、伝送データ８の伝送速度で指定された伝送速度に必要なカウンタ値１２を取り出し、次のカウント値０のタイミングで新たに設定された伝送速度に応じたカウント値１２に切り替わること、またカウント値１２をもとに送信タイミング制御部３で生成される送信データ取り出しアドレス１４により、カウンタの周期の単位で表面と裏面が切り替わる２面構成の送信データ格納部４から送信データ１６を取り出すので、送信中に間断無く自動的に伝送速度を上げて送信データを出力することができる。
【００４７】
また、同様の手順で伝送速度を下げて送信データを出力することもできる。
【００４８】
すなわち、送信出力中に外部から伝送データ８の伝送速度が入力されると、伝送速度切替部２は０〜（Ｎ−１）（ここでＮは、正の整数で２のべき剰）までの計数処理を行うＮ進カウンタであるカウンタ部１が、出力したカウント値１１が“０”に戻ったタイミングで、伝送データ８の伝送速度で指示された速さに自動的に計数処理を切り替えることになる。
【００４９】
これにより、後段の送信タイミング制御部３、送信データ格納部４および送信出力制御部５は、新たに指示された伝送データ８の伝送速度の動作に自動的に切り替わり、送信出力１７もカウンタ部１のタイミングで間断なく切り替わる。
【００５０】
従って、時分割多重で送信出力できる送信システムに対して、伝送速度切替時に冗長な出力や期待するデータが欠落することなく、伝送速度を上げる、あるいは下げるといったように伝送速度を自動的に可変することができる。
【００５１】
なお、上述のデータ伝送速度切替装置を時分割多重送信システムに組み込むことで、伝送速度を自動的に可変できるデータ伝送システムが実現できる。
【００５２】
【発明の効果】
以上説明したように、本発明のデータ伝送速度切替装置は伝送データの伝送速度で指定された伝送速度に必要なカウンタ値を伝送速度切替部で取り出し、次のカウント値０のタイミングで新たに設定された伝送速度に応じたカウント値に自動的に切り替わること、またカウント値をもとに送信タイミング制御部で生成される送信データ取り出しアドレスにより、カウンタ周期の単位で表面と裏面が自動的に切り替わる２面構成の送信データ格納部から送信データを取り出すことができるので、送信中に間断無く伝送速度を上げて送信データを出力することができ、また同様の手順で伝送速度を下げて送信データを出力することもできるという効果を有している。
【図面の簡単な説明】
【図１】本発明のデータ伝送速度切替装置の一つの実施の形態を示すブロック図である。
【図２】図１のデータ伝送速度切替装置の動作を示すタイムチャートである。
【符号の説明】
１    カウンタ部
２    伝送速度切替部
３    送信タイミング制御部
４    送信データ格納部
５    送信出力制御部
６    プリセット値
７    プリセット値ロード信号
８    伝送データ
９    送信開始信号
１０    送信待機信号
１１    カウント値
１２    カウント値
１３    送信データ
１４    送信データ取り出しアドレス
１５    送信データ出力タイミング
１６    送信データ
１７    送信出力
【図１】
0003751885.tif 000002
【図２】
0003751885.tif 000003